(57)【要約】【課題】不正な複写を防止する高いセキュリティを有するＩＤカードを用いたセキュリティ認証システムを提供する。【解決手段】所有者のＩＤをバーコード化したバーコード１２が印刷され、複写防止機能を有するＩＤカード１０と、バーコード１２を読み取るバーコード読み取り手段２０と、読み取ったバーコード１２のデータを受信し、バーコード１２のデータの認証を行うコンピュータ３０とを備える。【選択図】図１
2007122267.tif 000002
【特許請求の範囲】
【請求項１】
所有者のＩＤをバーコード化したバーコードが印刷され、複写防止機能を有するＩＤカードと、
前記バーコードを読み取るバーコード読み取り手段と、
読み取った前記バーコードのデータを受信し、前記バーコードのデータの認証を行うコンピュータ
とを備えることを特徴とするセキュリティ認証システム。
【請求項２】
前記複写防止機能は、コピーガード用紙を用いることを特徴とする請求項１に記載のセキュリティ認証システム。
【請求項３】
所有者のＩＤをバーコード化したバーコードが印刷され、複写防止機能を有するＩＤカードを用意するステップと、
バーコード読み取り手段で、前記バーコードを読み取るステップと、
コンピュータが読み取った前記バーコードのデータを受信し、前記バーコードのデータの認証を行うステップ
とを含むことを特徴とする認証方法。
【請求項４】
前記複写防止機能は、コピーガード用紙を用いることを特徴とする請求項３に記載の認証方法。
【発明の詳細な説明】
【技術分野】
【０００１】
本発明は、認証システムに関し、特にＩＤカードを用いたセキュリティ認証システム及び認証方法に関する。
【背景技術】
【０００２】
会社や学校などの組織で社員や学生等の身元及び身分を証明するために各種のＩＤカードが発行され、利用されている。従来のＩＤカードは本人であることを確認するために、氏名、組織名、部署名、社員（学生、会員）番号といった基本的な個人情報などをＩＤカードの券面に印字するだけではなく、顔写真もＩＤカードの券面に印刷されていることが多い。通常、これらのこれらの情報や顔写真は、人が目視によってチェックしており、機械又はシステムによる認証は行われていない。そこで、バーコードが印刷されているＩＤカードを用いて、バーコード読み取り手段（バーコードリーダ）によってバーコードを読み取り、機械又はシステムによる認証が行われている（特許文献１参照。）。
【０００３】
しかしながら、悪意ある第３者が、自分の写真を他人のＩＤカードの写真の上に印刷するか、或いはＩＤカードの写真を自分の写真に貼りかえる、又は、ＩＤカードにバーコードをコピーするという不正に対するセキュリティが弱いという問題がある。
【特許文献１】特開平１１−７３５０４号公報
【発明の開示】
【発明が解決しようとする課題】
【０００４】
本発明は、不正な複写を防止する高いセキュリティを有するＩＤカードを用いたセキュリティ認証システム及び認証方法を提供することを目的とする。
【課題を解決するための手段】
【０００５】
本願発明の一態様によれば、所有者のＩＤをバーコード化したバーコードが印刷され、複写防止機能を有するＩＤカードと、バーコードを読み取るバーコード読み取り手段と、読み取ったバーコードのデータを受信し、バーコードのデータの認証を行うコンピュータとを備えるセキュリティ認証システムであることを要旨とする。
【０００６】
本願発明の他の態様によれば、所有者のＩＤをバーコード化したバーコードが印刷され、複写防止機能を有するＩＤカードを用意するステップと、バーコード読み取り手段で、バーコードを読み取るステップと、コンピュータが読み取ったバーコードのデータを受信し、バーコードのデータの認証を行うステップとを含む認証方法であることを要旨とする。
【発明の効果】
【０００７】
本発明によれば、不正な複写を防止する高いセキュリティを有するＩＤカードを用いたセキュリティ認証システム及び認証方法を提供することができる。
【発明を実施するための最良の形態】
【０００８】
以下に図面を参照して、本発明の実施の形態を説明する。以下の図面の記載において、同一又は類似の部分には同一又は類似の符号で表している。但し、図面は模式的なものであり、厚みと平面寸法との関係、各層の厚みの比率等は現実のものとは異なる。したがって、具体的な厚みや寸法は以下の説明を照らし合わせて判断するべきものである。また、図面相互間においても互いの寸法の関係や比率が異なる部分が含まれていることは勿論である。
【０００９】
本発明の実施の形態に係るセキュリティ認証システムは、図１に示すように、所有者のＩＤをバーコード化したバーコード１２が印刷され、複写防止機能を有するＩＤカード１０と、バーコード１２を読み取るバーコード読み取り手段２０と、読み取ったバーコード１２のデータを受信し、バーコード１２のデータの認証を行うコンピュータ３０とを備える。
【００１０】
ＩＤカード１０は、身元及び身分を証明するために所有者の氏名、組織名、部署名、社員（学生、会員）番号、及び顔写真等のＩＤが印刷されている。また、ＩＤカード１０に印刷されているバーコード１２は、上記のＩＤを２次元のバーコード化したものである。ＩＤカード１０には、複写を防止するコピーガード用紙等の媒体を用いる。複写を防止する機能としては、例えば、ＩＤカード１０を複写しようとして複写機にかけても、光の乱反射を利用してコピー用紙が真っ黒にしたり、「複写」等の文字を浮かび上がらせたりすることで判読できなくする。
【００１１】
バーコード読み取り手段２０は、ＩＤカード１０に印刷されているバーコード１２を読み取り、読み取ったバーコード１２のデータをコンピュータ３０に送信する。バーコード読み取り手段２０がコンピュータ３０にデータを送信する手段としては、有線のケーブル等を用いてもよいし、例えば２．４５ＧＨｚ帯スペクトル拡散方式の短距離遠距離無線技術（或いは微弱遠距離無線送受信機）、及びパーソナルハンディホンシステム（ＰＨＳ）のトランシーバモード等を用いた近距離無線通信を用いてもよい。
【００１２】
コンピュータ３０は、バーコード読み取り手段２０で読み取ったバーコード１２のデータを照合するＩＤ認証用データが予め記憶されている。コンピュータ３０は、所有者の認証に高いセキュリティを持たせるために指紋、瞳孔、声紋、暗証番号等による認証を行う認証部を更に備えてもよい。
【００１３】
以下に、本発明の実施の形態に係るセキュリティ認証システムの認証方法を図２のフローチャートを参照しながら説明する。
【００１４】
（イ）まず、ステップＳ１０１において、コピーガード用紙等の媒体に印刷されたＩＤカード１０を用意する。
【００１５】
（ロ）次に、ステップＳ１０２において、バーコード読み取り手段２０でＩＤカード１０を読み取る。読み取ったバーコード１２のデータは、コンピュータ３０に送信される。
【００１６】
（ハ）ステップＳ１０３において、コンピュータ３０は、バーコード１２のデータを受信する。そして、コンピュータ３０は、バーコード１２のデータと予め記憶されているＩＤ認証用データを照合する。コンピュータ３０は照合の結果、ＩＤ認証用データと合致すれば認証し、合致しなければ認証を与えない。
【００１７】
本発明のセキュリティ認証システムによれば、ゲートの通過や装置使用の許可等の認証が必要な場合に、ＩＤカード１０が不正な複写を防ぐことができるために、所有者以外の第３者を認証することを防ぐことができ、高いセキュリティを有する。
【００１８】
（その他の実施の形態）
上記のように、本発明は実施の形態によって記載したが、この開示の一部をなす記述及び図面はこの発明を限定するものであると理解するべきではない。この開示から当業者には様々な代替実施の形態、実施例及び運用技術が明らかになるはずである。
【００１９】
例えば、ＩＤカード１０は、ホログラムを設けて、更に不正な複写を防止するようにしてもよい。また、ＩＤカード１０は、更に磁気ストライプを設けることで、個人データを読み込めるようにするようにしても構わない。
【００２０】
この様に、本発明はここでは記載していない様々な実施の形態等を包含するということを理解すべきである。したがって、本発明はこの開示から妥当な特許請求の範囲の発明特定事項によってのみ限定されるものである。
【図面の簡単な説明】
【００２１】
【図１】本発明の実施の形態に係るセキュリティ認証システムの概略図である。
【図２】本発明の実施の形態に係るセキュリティ認証システムの認証方法を示すフローチャートである。
【符号の説明】
【００２２】
１０…ＩＤカード
１２…バーコード
２０…バーコード読み取り手段
３０…コンピュータ
【図１】
2007122267.tif 000003
【図２】
2007122267.tif 000004